(57)【要約】  蛍光灯器具に発光ダイオード（ＬＥＤ）ランプを連結するＬＥＤランプ連結装置を開示する。蛍光灯器具は、ＡＣ電源部、安定器、および蛍光灯取付部を備え、蛍光灯取付部は、第１端の第１接続端と第１端の第２接続端と、第２端の第３接続端と第２端の第４接続端とを有する。ＬＥＤランプ連結装置は、前記ＡＣ電源部に連結された前記第１端の接続端と前記安定器に連結された前記第２端の接続端との間に導通される交流電源を全波整流するブリッジダイオードと、前記ブリッジダイオードで全波整流された電源を平滑して直流電源を出力する平滑キャパシタと、前記平滑された直流電源をＬＥＤランプ駆動電源に変換してＬＥＤランプに出力するＬＥＤランプ電源供給部とを含む。
2011503818.tif 000002
【特許請求の範囲】
【請求項１】
蛍光灯器具にＬＥＤランプを接続するＬＥＤランプ連結装置であって、前記蛍光灯器具は、ＡＣ電源部と、安定器と、蛍光灯取付部とを備え、前記蛍光灯取付部は、第１端の第１接続端と前記第１端の第２接続端と、第２端の第３接続端と前記第２端の第４接続端とを有し、前記ＬＥＤランプ連結装置は、
前記第１接続端〜前記第４接続端にそれぞれ接続されるアノード端と、第１共通接点にそれぞれ連結されるカソード端とをそれぞれ有する第１ダイオード〜第４ダイオードと；
前記第１接続端〜前記第４接続端にそれぞれ接続されるカソード端と、第２共通接点にそれぞれ連結されるアノード端とをそれぞれ有する第５ダイオード〜第８ダイオードと；
前記第１共通接点と前記第２共通接点の間に連結された平滑キャパシタであって、前記平滑キャパシタは、前記第１ダイオード〜前記第８ダイオードが全波整流した電源を平滑にすることによって、平滑にした直流電源を出力することと；
前記直流電源を前記ＬＥＤランプに出力するＬＥＤランプ電源供給部と
を含むことを特徴とする、ＬＥＤランプ連結装置。
【請求項２】
前記第１ダイオード〜前記第８ダイオードは、ファストリカバリーダイオードである、請求項１記載のＬＥＤランプ連結装置。
【請求項３】
前記平滑キャパシタは、高周波用キャパシタである、請求項１記載のＬＥＤランプ連結装置。
【請求項４】
前記ＬＥＤランプ連結装置は更に、
前記第１接続端を前記第３接続端に連結する第１共振キャパシタと；
前記第１接続端を前記第４接続端に連結する第２共振キャパシタと；
前記第２接続端を前記第３接続端に連結する第３共振キャパシタと；
前記第２接続端を前記第４接続端に連結する第４共振キャパシタと
を含む、請求項１記載のＬＥＤランプ連結装置。
【請求項５】
前記ＬＥＤランプ電源供給部は、ＤＣ／ＤＣコンバータ定電流電源回路である、請求項１記載のＬＥＤランプ連結装置。
【請求項６】
前記ＬＥＤランプ電源供給部は、シリーズレギュレータ定電流電源回路である、請求項１記載のＬＥＤランプ連結装置。
【請求項７】
前記ＬＥＤランプ電源供給部は、電流制限抵抗である、請求項１記載のＬＥＤランプ連結装置。
【発明の詳細な説明】
【技術分野】
【０００１】
本発明は、蛍光灯器具に、発光ダイオード（ＬＥＤ）ランプを連結する連結装置に関する。
【背景技術】
【０００２】
蛍光灯は、最も経済的で高照度を得ることができるため、ビル、工場、家庭などで白熱灯と共に現在最も広く使用されている照明灯である。
蛍光灯器具は、蛍光灯を点灯する点灯回路と、蛍光灯の点灯後に点灯を維持する安定器(ballast)とを含む。点灯回路は、蛍光灯を放電させる高圧発生回路から構成される。安
定器は、点灯後に放電管の点灯を維持する負抵抗特性を有するものが使用される。
【０００３】
このような蛍光灯器具は、磁気方式と電子高周波方式の２種に大別される。磁気方式は、電流制限インダクタを使用する方式であり、更に点灯方式によってグロースタータ方式とラピッドスタータ方式に分けられる。電子高周波方式は、商用電源を直流に変えることによって、高周波共振回路を介して高周波電源を蛍光灯に印加する方式であり、更に電流モード方式と電圧モード方式に分けられる。
【０００４】
図１は、従来の磁気グロースタータ方式の蛍光灯器具を示す。この磁気グロースタータ方式の蛍光灯器具は、ＡＣ(Alternating Current)電源部１１と、グロースタータ１２と
、安定器１３と、蛍光灯取付部とを含む。蛍光灯取付部は、蛍光灯の第１端に接続される第１接続端ａ１と第２接続端ａ２と、蛍光灯の第２端に接続される第３接続端ｂ１と第４接続端ｂ２とを有する。蛍光灯ＦＬの第１端の２つの端子が蛍光灯取付部の第１端の第１接続端ａ１と第２接続端ａ２に接続され、蛍光灯ＦＬの第２端の２つの端子が蛍光灯取付部の第２端の第３接続端ｂ１と第４接続端ｂ２に接続されることによって、蛍光灯ＦＬは蛍光灯取付部に取り付けられる。
【０００５】
ＡＣ電源部１１を介して交流（ＡＣ）電源が入力されると、グロースタータ１２に電源が印加されることによって、グロースタータ１２は発熱する。発熱したグロースタータ１２の内部バイメタルの撓みが増大することによって、このグロースタータ１２はショートする。グロースタータ１２がショートすると、安定器１３と蛍光灯（ＦＬ(fluorescent lamp)）のフィラメントに電流が供給されるとともに、グロースタータ１２がショートしたので、熱は冷める。グロースタータ１２の熱が冷めることによってバイメタルの撓みが減少すると、グロースタータ１２はオープンにされる。グロースタータ１２がオープンにされると、安定器１３のインダクタに高電圧が誘起される。誘起された高電圧が蛍光灯の両端に誘起されることによって、蛍光灯ＦＬは点灯する。点灯した蛍光灯ＦＬでは、両端の加熱されたフィラメントから発生した熱電子がプラズマ状態になることによって、電流は流れ始める。安定器１３は、蛍光灯のプラズマ状態が維持されるように、一定の制限電流を流すべく調節する。
【０００６】
図２は、従来の磁気ラピッドスタータ方式の蛍光灯器具を示す。この磁気ラピッドスタータ方式の蛍光灯器具は、ＡＣ電源部２１と、安定器２２と、蛍光灯取付部とを含む。蛍光灯取付部は、蛍光灯の第１端に接続される第１接続端ａ１と第２接続端ａ２と、蛍光灯の第２端に接続される第３接続端ｂ１と第４接続端ｂ２とを有する。蛍光灯ＦＬの第１端の２つの端子が蛍光灯取付部の第１端の第１接続端ａ１と第２接続端ａ２に接続され、蛍光灯ＦＬの第２端の２つの端子が蛍光灯取付部の第２端の第３接続端ｂ１と第４接続端ｂ２に接続されることによって、蛍光灯ＦＬは、蛍光灯取付部に取り付けられる。
【０００７】
この磁気ラピッドスタータ方式の蛍光灯器具は、安定器２２が常に蛍光灯ＦＬのフィラメント電源を供給することによって、且つ蛍光灯の両端電極に高電圧を供給することによって、電源投入の際に速い点灯が可能である。点灯すると、安定器２２は、蛍光灯に流れる電流を点灯電流に制限することによって、点灯を維持する。
【０００８】
電子高周波方式の蛍光灯器具は、ＡＣ電源を直流に変えることによって、高周波共振回路を介して高周波電源を蛍光灯に印加する方式であり、更にフィラメント駆動方式によって電圧モード方式と電流モード方式がある。
【０００９】
図３は、従来の電子高周波電圧モード方式の蛍光灯器具を示す。蛍光灯ＦＬは、磁気スタータ方式の蛍光灯器具と同様に、両端にそれぞれ２つの接続端を有する蛍光灯取付部に取り付けられる。この電子高周波電圧モード方式の蛍光灯器具は、ＡＣ電源をブリッジダイオードＤ３１と、Ｄ３２と、Ｄ３３と、Ｄ３４と、平滑キャパシタＣＲＥＧとによって直流に整流した後、制御回路３１で数十ＫＨｚの高周波信号を用いてハーフブリッジＦＥＴ（ＦＥＴ３１、ＦＥＴ３２）を介して高周波電圧を作る。こうして作られた高周波電圧は、共振コイルＬＲＥＳと共振キャパシタＣＲＥＳを介して、ブロッキングキャパシタＣＢＬＫを経て蛍光灯に高周波信号を供給する。共振コイルＬＲＥＳから誘導される電圧は、結合インダクタＬＦＩＬ１、ＬＦＩＬ２を介して、蛍光灯ＦＬのフィラメントに供給される。
【００１０】
図４は、従来の電子高周波電流モード方式の蛍光灯器具を示す。蛍光灯ＦＬは、磁気スタータ方式の蛍光灯器具と同様に、両側の２つの接続端を有する蛍光灯取付部に取り付けられる。この電子高周波電流モード方式の蛍光灯器具は、ＡＣ電源をブリッジダイオードＤ４１と、Ｄ４２と、Ｄ４３と、Ｄ４４と、平滑キャパシタＣＲＥＧとによって直流に整流した後、制御回路４１で数十ＫＨｚの高周波信号を用いて、ハーフブリッジＦＥＴ（ＦＥＴ４１、ＦＥＴ４２）を介して高周波電圧を作る。こうして作られた高周波電圧は、ブロッキングキャパシタＣＢＬＫと、共振コイルＬＲＥＳに連結された蛍光灯ＦＬのフィラメントと、共振キャパシタＣＲＥＳとを介して、蛍光灯ＦＬに供給される。また、共振コイルＬＲＥＳと共振キャパシタＣＲＥＳの共振電流が、蛍光灯ＦＬのフィラメントに供給される。
【００１１】
現在、大部分の家庭では蛍光灯を用いて照明している。
【先行技術文献】
【特許文献】
【００１２】
【特許文献１】特開２００４−１９２８３３号公報
【発明の概要】
【発明が解決しようとする課題】
【００１３】
しかし、蛍光灯は、ＬＥＤランプに比べて短い寿命と、低い発光効率と、封入ガスによる環境汚染問題とを有する。したがって蛍光灯をＬＥＤランプに置換することが、好ましい。
【００１４】
蛍光灯をＬＥＤランプに置換するには、既存の蛍光灯器具をＬＥＤ灯器具に置換しなければならない。しかし、この場合、ＬＥＤ灯器具それ自体のコストも高いうえ、蛍光灯器具をＬＥＤ灯器具に置換して設置する費用も高いという問題点がある。
【００１５】
そこで、本発明は、上述した従来の技術の問題点に鑑みてなされたもので、その目的は、既存の蛍光灯器具をＬＥＤ灯器具に置換することなく、蛍光灯器具にＬＥＤランプを連結することによって、最小費用で蛍光灯をＬＥＤランプに置換できる、蛍光灯器具のＬＥ
Ｄランプ連結装置を提供することにある。
【課題を解決するための手段】
【００１６】
上記目的を達成するために、本発明は、蛍光灯器具に接続されるＬＥＤランプ連結装置を提供し、蛍光灯器具は、ＡＣ電源部と、安定器と、蛍光灯取付部とを備える。蛍光灯取付部は、第１端の２つの接続端と、第２端の２つの接続端とを有する。ＬＥＤランプ連結装置は更に、前記ＡＣ電源部に連結された前記第１端の接続端と、前記安定器に連結された前記第２端の接続端との間に導通される、交流電源を全波整流するブリッジダイオードと；前記ブリッジダイオードで全波整流された電源を平滑にすることによって直流電源を出力する平滑キャパシタと；平滑にした前記直流電源をＬＥＤランプ駆動電源に変換することによって、前記ＬＥＤランプ駆動電源をＬＥＤランプに出力するＬＥＤランプ電源供給部とを含む。
【００１７】
また、本発明は、蛍光灯器具に接続されるＬＥＤランプ連結装置を提供し、蛍光灯器具は、ＡＣ電源部と、安定器と、蛍光灯取付部とを備える。蛍光灯取付部は、第１端の２つの接続端と、第２端の２つの接続端とを有する。ＬＥＤランプ連結装置は更に、前記第１端の任意の一接続端と前記第２端の任意の一接続端との間に導通される、交流電源を全波整流する２つのブリッジダイオードと；前記２つのブリッジダイオードで全波整流された電源を平滑にすることによって直流電源を出力する平滑キャパシタと；平滑にした前記直流電源をＬＥＤランプ駆動電源に変換することによって、前記ＬＥＤランプ駆動電源をＬＥＤランプに出力するＬＥＤランプ電源供給部とを含む。
【００１８】
本発明は、蛍光灯器具にＬＥＤランプを連結することができるようにした。よって、蛍光灯器具の取り替えなしで、照明灯の寿命延長と、電力消費の節減と、環境適合性の向上とを実現することができる。
【図面の簡単な説明】
【００１９】
【図１】従来の磁気グロースタータ方式の蛍光灯器具を示す図。
【図２】従来の磁気ラピッドスタータ方式の蛍光灯器具を示す図。
【図３】従来の電子高周波電圧モード方式の蛍光灯器具を示す図。
【図４】従来の電子高周波電流モード方式の蛍光灯器具を示す図。
【図５】本発明の第１実施例に係る蛍光灯器具のＬＥＤランプ連結装置であって、磁気グロースタータ方式の蛍光灯器具に連結される実施例を示す図。
【図６】図５のＬＥＤランプ連結装置の問題点を説明するために示す図。
【図７】図５のＬＥＤランプ連結装置の問題点を説明するために示す図。
【図８】図５のＬＥＤランプ連結装置の問題点を改善した、本発明の第２実施例に係る蛍光灯器具のＬＥＤランプ連結装置であって、磁気グロースタータ方式の蛍光灯器具に連結される実施例を示す図。
【図９】図５のＬＥＤランプ連結装置の問題点を改善した、本発明の第３実施例に係る蛍光灯器具のＬＥＤランプ連結装置であって、磁気グロースタータ方式の蛍光灯器具に連結される実施例を示す図。
【図１０】本発明の第２実施例に係る蛍光灯器具のＬＥＤランプ連結装置を、図２の磁気ラピッドスタータ方式の蛍光灯器具に適用した実施例を示す図。
【図１１】本発明の第２実施例に係る蛍光灯器具のＬＥＤランプ連結装置を、図３の電子高周波電圧モード方式の蛍光灯器具に適用した実施例を示す図。
【図１２】本発明の第２実施例に係る蛍光灯器具のＬＥＤランプ連結装置を、図４の電子高周波電流モード方式の蛍光灯器具に適用した実施例を示す図。
【発明を実施するための形態】
【００２０】
以下に添付図面を参照しながら、本発明の一実施例に係る蛍光灯器具のＬＥＤランプ連
結装置について説明する。
図５は、本発明の第１実施例に係る蛍光灯器具のＬＥＤランプ連結装置５０であって、磁気グロースタータ方式の蛍光灯器具に連結される実施例を示す。
【００２１】
このＬＥＤランプ連結装置５０では、蛍光灯器具の蛍光灯取付部の第１側の２つの接続端のうち一つが、ＡＣ電源部１１に直列に連結され、且つ蛍光灯器具の蛍光灯取付部の第２端の２つの接続端のうち一つが、安定器１３に直列に連結される。図５に示すように、第１接続端ａ１がＡＣ電源部１１に連結され、且つ第３接続端ｂ１が安定器１３に連結された場合、このＬＥＤランプ連結装置５０は、第１接続端ａ１と第３接続端ｂ１の間に連結されなければならない。
【００２２】
ＬＥＤランプ連結装置５０は、入力電源を整流するブリッジダイオードＤ５１、Ｄ５２、Ｄ５３、およびＤ５４と、ブリッジダイオードＤ５１、Ｄ５２、Ｄ５３、およびＤ５４において全波整流した電源を平滑にすることによって直流電源を出力する平滑キャパシタＣＲＥＧと、平滑にされた直流電源をＬＥＤランプ駆動電源に変換するＬＥＤランプ電源供給部とを含む。ＬＥＤランプ電源供給部の出力電源がＬＥＤアレイに供給されることによって、ＬＥＤランプは駆動される。図５にはＬＥＤランプ電源供給部としてＤＣ／ＤＣコンバータ定電流電源回路５１が示されているが、ＬＥＤランプ電源供給部は、シリーズレギュレータ定電流電源回路または電流制限抵抗によって、実現されうる。ここで、ＤＣ／ＤＣコンバータ定電流電源回路５１を使用することによってＬＥＤアレイの安定とエネルギー効率とが高まるため、シリーズレギュレータ定電流電源回路と電流制限抵抗の使用は、実用的に実現することが可能な方法である。
【００２３】
このような本発明の第１実施例に係る蛍光灯器具のＬＥＤランプ連結装置５０では、ＡＣ電源部１１の正（＋）周期の間には第１ダイオードＤ５１と、平滑キャパシタＣＲＥＧと、第２ダイオードＤ５２とを介して直流電源が生成され、負（−）周期の間には第３ダイオードＤ５３と、平滑キャパシタＣＲＥＧと、第４ダイオードＤ５４とを介して直流電源が生成される。ＤＣ／ＤＣコンバータ定電流電源回路５１は、こうして生成された直流電源を、ＬＥＤランプ駆動電源に変換することによってＬＥＤアレイに供給する。
【００２４】
蛍光灯は極性がないため、蛍光灯器具のＬＥＤランプ連結装置の配線形態では、図６に示すように第４接続端ｂ２に安定器が連結されるか、または図７に示すように第２接続端ａ２にＡＣ電源部が連結されている。また図示していないが、第４接続端ｂ２に安定器が連結され、且つ第２接続端ａ２にＡＣ電源部が連結されていてもよい。ＬＥＤランプ連結装置５０を図６または図７に示すように連結する場合には、ＬＥＤランプ連結装置５０は、ＬＥＤランプ駆動電源を出力できなくなる。蛍光灯器具は、蛍光灯取付部の両端の２つずつの接続端のうち、どの接続端がＡＣ電源部に連結された接続端であるかと、どの接続端が安定器に連結された接続端であるかとを判定できないため、蛍光灯器具に図５のＬＥＤランプ連結装置５０を連結するためには各接続端の接続状態を把握しなければならないという問題点がある。
【００２５】
蛍光灯器具のＬＥＤランプ連結装置の配線形態は４種類あるが、各ランプコネクター配線形態を問わずＬＥＤランプを駆動する方法が必要である。
図８は、図５のＬＥＤランプ連結装置５０の問題点を改善した、本発明の第２実施例に係る蛍光灯器具のＬＥＤランプ連結装置８０であって、磁気グロースタータ方式の蛍光灯器具に連結される実施例を示す。ＬＥＤランプ連結装置８０は、蛍光灯取付部の第１端の第１接続端ａ１および第２接続端ａ２と、第２端の第３接続端ｂ１および第４接続端ｂ２とにそれぞれ接続され、且つ第１端の任意の一接続端と第２端の任意の一接続端との間に導通される交流電源を全波整流する第１ブリッジを構成するダイオードＤ８１〜Ｄ８４および第２ブリッジを構成するダイオードＤ８５〜Ｄ８８と、前記全波整流された電源を平
滑にする平滑キャパシタＣＲＥＧと、平滑にされた直流電源をＬＥＤランプ駆動電源に変換するＬＥＤランプ電源供給部とを含む。ＬＥＤランプ電源供給部の出力電源がＬＥＤアレイに供給されることによって、ＬＥＤランプは駆動される。図８にはＬＥＤランプ電源供給部としてＤＣ／ＤＣコンバータ定電流電源回路８１が示されているが、このＬＥＤランプ電源供給部は、シリーズレギュレータ定電流電源回路または電流制限抵抗で実現することもできる。ここでＤＣ／ＤＣコンバータ定電流電源回路８１の使用によってＬＥＤアレイの安定とエネルギー効率とが高まるため、シリーズレギュレータ定電流電源回路と電流制限抵抗の使用は、実用的に実現することが可能な方法である。
【００２６】
図８の例では、ＡＣ電源部１１は第１接続端ａ１に連結され、且つ安定器１３は第３接続端ｂ１に連結される。ＡＣ電源部１１から出力される交流電源の正（＋）周期の間にはダイオードＤ８５と、平滑キャパシタＣＲＥＧと、ダイオードＤ８６とを介して直流電源が生成され、負（−）周期の間にはダイオードＤ８７と、平滑キャパシタＣＲＥＧと、ダイオードＤ８８とを介して直流電源が生成される。ＤＣ／ＤＣコンバータ定電流電源回路８１は、こうして生成された直流電源を、ＬＥＤランプ駆動電源に変換することによってＬＥＤアレイへ供給する。
【００２７】
図９は、図５のＬＥＤランプ連結装置の問題点を改善した、本発明の第３実施例に係る蛍光灯器具のＬＥＤランプ連結装置９０であって、磁気グロースタータ方式の蛍光灯器具に連結される実施例を示す。図９のＬＥＤランプ連結装置は、蛍光灯取付部の両側の端子を電気的に連結する。すなわち、第１接続端ａ１と第２接続端ａ２を互いに連結し且つＬＥＤランプ連結装置９０のブリッジダイオードＤ９１、Ｄ９４に連結し、第３接続端ｂ１端子と第４接続端ｂ２を互いに連結し且つＬＥＤランプ連結装置９０のブリッジダイオードＤ９２、Ｄ９３に連結する。このような第３実施例のＬＥＤランプ連結装置の回路は、図８に比べて簡単であるが、ＬＥＤアレイを構成するＬＥＤの直列連結の数が多い場合、ＬＥＤアレイの駆動電圧が高くなってグロースタータが動作する可能性があり、この場合、ＬＥＤアレイの両端に高電圧が誘起されてＬＥＤアレイが破壊されるおそれがある。また、この第３実施例は、磁気グロースタータ方式でのみ使用できる。
【００２８】
図１０は、本発明の第２実施例に係る蛍光灯器具のＬＥＤランプ連結装置８０を、図２の磁気ラピッドスタータ方式の蛍光灯器具に適用した実施例を示す。ＬＥＤランプ連結装置１００は、蛍光灯取付部の第１端の第１接続端および第２接続端と、第２端の第３接続端および第４接続端とに接続され、且つ第１端の任意の一接続端と第２端の任意の一接続端との間に導通される交流電源を全波整流する第１ブリッジを構成するダイオードＤ１０１〜Ｄ１０４および第２ブリッジを構成するダイオードＤ１０５〜Ｄ１０８と、前記全波整流された電源を平滑にする平滑キャパシタＣＲＥＧと、平滑にされた直流電源をＬＥＤランプ駆動電源に変換するＬＥＤランプ電源供給部とを含む。ＬＥＤランプ電源供給部の出力電源がＬＥＤアレイに供給されることによって、ＬＥＤランプは駆動される。図１０にはＬＥＤランプ電源供給部としてＤＣ／ＤＣコンバータ定電流電源回路１０１が示されるが、このＬＥＤランプ電源供給部は、シリーズレギュレータ定電流電源回路または電流制限抵抗によっても実現されうる。ここで、ＤＣ／ＤＣコンバータ定電流電源回路１０１の使用によってＬＥＤアレイの安定とエネルギー効率とが高まるため、シリーズレギュレータ定電流電源回路と電流制限抵抗の使用は、実用的に実現することが可能な方法である。図１０のＬＥＤランプ連結装置１００の動作は、図８と同様である。
【００２９】
図１１は、本発明の第２実施例に係る蛍光灯器具のＬＥＤランプ連結装置８０を、図３の電子高周波電圧モード方式の蛍光灯器具に適用した実施例を示す。このＬＥＤランプ連結装置１１０は、第１ブリッジを構成するダイオードＤ１１１〜Ｄ１１４と、第２ブリッジを構成するダイオードＤ１１５〜Ｄ１１８と、平滑キャパシタＣＲＥＧと、ＬＥＤランプ電源供給部とを含む。図１１にはＬＥＤランプ電源供給部としてＤＣ／ＤＣコンバータ
定電流電源回路１１１が示されているが、このＬＥＤランプ電源供給部は、シリーズレギュレータ定電流電源回路または電流制限抵抗によっても実現されうる。高周波電圧モード方式では、ブリッジダイオードＤ１１１〜Ｄ１１８に高周波信号が供給されるので、ファストリカバリー(fast recovery)ダイオードなどのスイッチング周波数が高いダイオード
を使用しなければならず、平滑キャパシタＣＲＥＧも高周波用を使用しなければならない。図１１のＬＥＤランプ連結装置１１０の動作は、図８と同様である。
【００３０】
図１２は、本発明の第２実施例に係る蛍光灯器具のＬＥＤランプ連結装置８０を、図４の電子高周波電流モード方式の蛍光灯器具に適用した実施例を示す。このＬＥＤランプ連結装置１２０は、第１ブリッジを構成するダイオードＤ１２１〜Ｄ１２４と、第２ブリッジを構成するダイオードＤ１２５〜Ｄ１２８と、平滑キャパシタＣＲＥＧと、ＬＥＤランプ電源供給部とを含む。図１２にはＬＥＤランプ電源供給部としてＤＣ／ＤＣコンバータ定電流電源回路１２１が示されているが、このＬＥＤランプ電源供給部は、シリーズレギュレータ定電流電源回路または電流制限抵抗によっても実現されうる。一方、このＬＥＤランプ連結装置１２０を電子高周波電流モード方式の蛍光灯器具に適用するには、蛍光灯取付部の第１端の２つの接続端と第２端の２つの接続端との間に、それぞれ第１共振キャパシタＣＲＥＳ１〜第４共振キャパシタＣＲＥＳ４を更に連結しなければならない。
【００３１】
そうすることにより、本発明は、蛍光灯器具のランプ連結装置の配線方向を問わず常に共振キャパシタが連結されるので、ＬＥＤランプを駆動できる。ここで高周波電流モード方式では、ブリッジダイオードＤ１２１〜Ｄ１２８に高周波信号が供給されるので、ファストリカバリーダイオードなどのスイッチング周波数が高いダイオードを使用しなければならず、平滑キャパシタＣＲＥＧも高周波用を使用しなければならない。図１２のＬＥＤランプ連結装置１２０の動作は、図８と同様である。
【００３２】
以上、本発明の技術思想を添付図面と共に述べたが、これは本発明の好適な一実施例を例示的に説明するものに過ぎず、本発明を限定するものではない。また、当該分野における通常の知識を有する者であれば、本発明の技術思想の範疇から逸脱しない範囲で多様に変形および模倣し得るのは、明らかな事実である。
【００３３】
本発明は、既存の蛍光灯器具を用いてＬＥＤランプを照明する技術として適用することができる。
【図１】
2011503818.tif 000003
【図２】
2011503818.tif 000004
【図３】
2011503818.tif 000005
【図４】
2011503818.tif 000006
【図５】
2011503818.tif 000007
【図６】
2011503818.tif 000008
【図７】
2011503818.tif 000009
【図８】
2011503818.tif 000010
【図９】
2011503818.tif 000011
【図１０】
2011503818.tif 000012
【図１１】
2011503818.tif 000013
【図１２】
2011503818.tif 000014
【手続補正書】
【提出日】平成22年6月25日(2010.6.25)
【手続補正１】
【補正対象書類名】特許請求の範囲
【補正対象項目名】全文
【補正方法】変更
【補正の内容】
【特許請求の範囲】
【請求項１】
蛍光灯器具にＬＥＤランプを接続するＬＥＤランプ連結装置であって、前記蛍光灯器具は、ＡＣ電源部と、安定器と、蛍光灯取付部とを備え、前記蛍光灯取付部は、第１端の第１接続端と第２接続端と、第２端の第３接続端と第４接続端とを有し、前記第１接続端と前記第２接続端のうちの１つは前記ＡＣ電源部に連結され、前記第３接続端と前記第４接続端のうちの１つは前記安定器に連結され、前記ＬＥＤランプ連結装置は、
前記第１接続端〜前記第４接続端にそれぞれ接続されるアノード端と、第１共通接点にそれぞれ連結されるカソード端とをそれぞれ有する第１ダイオード〜第４ダイオードと；
前記第１接続端〜前記第４接続端にそれぞれ接続されるカソード端と、第２共通接点に連結されるアノード端とをそれぞれ有する第５ダイオード〜第８ダイオードと；
前記第１共通接点と前記第２共通接点の間に連結された平滑キャパシタであって、前記平滑キャパシタは、前記第１接続端と前記第２接続端のうちの前記ＡＣ電源部に連結された接続端に接続している２つのダイオードと、前記第３接続端と前記第４接続端のうちの前記安定器に連結された接続端に接続している２つのダイオードとによって全波整流されたＡＣ電源を、平滑にすることによって直流電源を出力することと；
前記直流電源をＬＥＤランプに出力するＬＥＤランプ電源供給部と
を含むことを特徴とする、ＬＥＤランプ連結装置。
【請求項２】
前記第１ダイオード〜前記第８ダイオードは、ファストリカバリーダイオードである、請求項１記載のＬＥＤランプ連結装置。
【請求項３】
前記平滑キャパシタは、高周波用キャパシタである、請求項１記載のＬＥＤランプ連結装置。
【請求項４】
ＬＥＤランプ連結装置は更に、
前記第１接続端を前記第３接続端に連結する第１共振キャパシタと；
前記第１接続端を前記第４接続端に連結する第２共振キャパシタと；
前記第２接続端を前記第３接続端に連結する第３共振キャパシタと；
前記第２接続端を前記第４接続端に連結する第４共振キャパシタと
を含む、請求項１記載のＬＥＤランプ連結装置。
【請求項５】
前記ＬＥＤランプ電源供給部は、ＤＣ／ＤＣコンバータ定電流電源回路である、請求項１記載のＬＥＤランプ連結装置。
【請求項６】
前記ＬＥＤランプ電源供給部は、シリーズレギュレータ定電流電源回路である、請求項１記載のＬＥＤランプ連結装置。
【請求項７】
前記ＬＥＤランプ電源供給部は、電流制限抵抗である、請求項１記載のＬＥＤランプ連結装置。
【国際調査報告】
2011503818.tif 000015
2011503818.tif 000016